(57)【要約】セキュリティ装置と監視ユニットからなるセキュリティシステムであり、このセキュリティ装置と監視ユニットはリアルタイムセキュリティ情報を供給する。セキュリティ装置は、ハウジングとこのハウジング上の取り付けブラケットとからなり、この取り付けブラケットは、固定物に取り付けられるように構成されるとともにスイッチを備えている。このスイッチは、取り付けブラケットが固定物に取り付けられたときに第１表示を生成し、取り付けブラケットが固定物から取り外されたときに第２表示を生成する。電源とトランシーバと電子回路がハウジング内にあり、互いに接続されるとともに、取り付けブラケットのスイッチに接続されている。トランシーバは監視ユニットと通信するように構成されている。電子回路は、前記第１表示が生成されたときに警報状態に入り、複数の警報事象の少なくとも一つが生じない場合には、トランシーバに周期的にＯＫ信号を監視ユニットへ送信させる。
2006522389.tif 000002
【特許請求の範囲】
【請求項１】
監視ユニットとともに使用されるセキュリティ装置であって、
（ａ）ハウジングと、
（ｂ）前記ハウジングの外側に取り付けられる取り付けブラケットであって、固定物に取り付けられるように構成されるとともにスイッチを備え、該スイッチは前記取り付けブラケットが前記固定物に取り付けられたときに第１表示を生成し、前記取り付けブラケットが前記固定物から取り外されたときに第２表示を生成する取り付けブラケットと、
（ｃ）前記ハウジング内に設けられた電源と、
（ｄ）前記ハウジング内に設けられ、かつ前記電源に接続されたトランシーバであって、前記監視ユニットと通信するように構成されたトランシーバと、
（ｅ）前記ハウジング内に設けられ、かつ前記電源と前記トランシーバと前記取り付けブラケットのスイッチとに接続された電子回路であって、前記第１表示が前記スイッチによって生成されたときに作動状態に入るようにプログラムされ、かつ前記作動状態にあるときに複数の警報事象の少なくとも一つが生じないときには前記トランシーバに周期的にＯＫ信号を前記監視ユニットへ送信させるようにプログラムされた電子回路とを備え、
前記複数の警報事象は、
（ｉ）前記取り付けブラケットの前記スイッチによる前記第２表示の生成と、
（ｉｉ）前記トランシーバへの電力の喪失と、
（ｉｉｉ）前記電子回路への電力の喪失と
を含むことを特徴とするセキュリティ装置。
【請求項２】
請求項１に記載のセキュリティ装置であって、前記ハウジング内に設けられ、かつ前記電源と前記電子回路とに接続された振動センサーであって、当該セキュリティ装置が所定方法で動かされた場合には振動信号を生成するように構成された振動センサーを更に備え、前記複数の警報事象は更に、
（ｉ）前記振動信号の生成と、
（ｉｉ）前記振動センサーへの電力の喪失と
を含むことを特徴とするセキュリティ装置。
【請求項３】
請求項１に記載のセキュリティ装置であって、前記取り付けブラケットはロック棒にスナップ嵌合するように構成されたクリップを備えることを特徴とするセキュリティ装置。
【請求項４】
請求項１に記載のセキュリティ装置であって、前記ハウジング内に設けられ、かつ前記電源に接続されたＧＰＳセンサーであって、前記電子回路に位置信号を供給するように構成されたＧＰＳセンサーを更に備えることを特徴とするセキュリティ装置。
【請求項５】
請求項４に記載のセキュリティ装置であって、前記電子回路は、前記位置信号を初期位置信号と比較して、前記位置信号が所定量だけ前記初期位置信号と異なる場合に変位信号を生成するようにプログラムされ、前記初期位置信号は前記第１表示が生成されたときに前記ＧＰＳセンサーによって供給される位置信号からなり、前記複数の警報事象は更に、
（ｉ）前記変位信号の生成と、
（ｉｉ）前記ＧＰＳセンサーへの電力の喪失と
を含むことを特徴とするセキュリティ装置。
【請求項６】
請求項１に記載のセキュリティ装置であって、前記ハウジング内に設けられ、かつ前記電源と前記電子回路とに接続された音響センサーであって、所定音が当該セキュリティ装置の近くで発生した場合に音響信号を生成するように構成された音響センサーを更に備え、前記複数の警報事象は更に、
（ｉ）前記音響信号の生成と、
（ｉｉ）前記音響センサーへの電力の喪失と
を含むことを特徴とするセキュリティ装置。
【請求項７】
請求項３に記載のセキュリティ装置であって、コネクターアームと第２ロック棒への取り付けのための第２クリップとを更に備えることを特徴とするセキュリティ装置。
【請求項８】
請求項７に記載のセキュリティ装置であって、前記クリップのいずれか一つに取り付けられ、前記クリップのいずれか一つを、前記クリップのいずれか一つが取り付けられるロック棒に選択的にロックするためのロック機構を更に備えることを特徴とするセキュリティ装置。
【請求項９】
請求項３に記載のセキュリティ装置であって、前記クリップのいずれか一つに取り付けられ、前記クリップのいずれか一つを、前記クリップのいずれか一つが取り付けられたロック棒に選択的にロックするためのロック機構を更に備えたことを特徴とするセキュリティ装置。
【請求項１０】
セキュリティシステムであって、
（ａ）その上にスイッチを有する取り付けブラケットによってコンテナのロック棒に取り付けられるように構成されたセキュリティ装置であって、第１電源と第１電子回路と第１トランシーバとを備え、前記スイッチは前記電子回路に、前記取り付けブラケットが前記ロック棒に取り付けられているときに第１表示を供給し、前記取り付けブラケットが前記ロック棒から取り外されたときに第２表示を供給するセキュリティ装置と、
（ｂ）第２電源と第２電子回路と第２トランシーバとを備えた監視ユニットとを備え、
前記第１電子回路は、前記スイッチからの第１表示を受信したときに、前記第１トランシーバに周期的にＯＫ信号を前記第２トランシーバへ送信させるとともに、
（ｉ）前記スイッチからの前記第２表示を受信することと、
（ｉｉ）前記第２トランシーバからの警報信号を受信することと、
（ｉｉｉ）前記第１電源からの低電力表示を受信することと、
（ｉｖ）前記セキュリティ装置の振動を検知することと、
（ｖ）所定距離を超える前記セキュリティ装置の変位を検知すること
のうち少なくとも一つを行ったときに前記第１トランシーバに警報信号を送信させるようにプログラムされ、
前記第２電子回路は、
（ｖｉ）所定時間の間に前記第１トランシーバからのＯＫ信号の受信に失敗することと、
（ｖｉｉ）前記第１トランシーバからの警報信号を受信することと、
（ｖｉｉｉ）前記第２電源からの低電力表示を受信すること
のうちの少なくとも一つを行ったときに前記第２トランシーバに警報信号を送信させるようにプログラムされていることを特徴とするセキュリティシステム。
【請求項１１】
少なくとも一つのロック棒を有するコンテナに対する不正を防止する方法であって、
（ａ）セキュリティ装置をロック棒に取り付けるステップであって、前記セキュリティ装置は、振動センサーと位置センサーと電源とトランシーバと電子回路とを備えるとともに、前記ロック棒に取り付けられたときに作動状態に入るように構成されているステップと、
（ｂ）前記作動状態にあるときに前記トランシーバからＯＫ信号を送信するステップと、
（ｃ）監視ユニットによって前記ＯＫ信号を受信するステップであって、前記監視ユニットは所定時間の間に何らかのＯＫ信号を受信するのに失敗した場合には警報信号を送信するように構成されているステップと、
（ｄ）複数の警報事象の少なくとも一つの発生時に、前記セキュリティ装置からＯＫ信号を送信するのを停止するステップとを備え、
前記複数の警報事象は、
（ｉ）前記ロック棒からの前記セキュリティ装置の取り外しと、
（ｉｉ）前記セキュリティの振動と、
（ｉｉｉ）前記セキュリティ装置が前記作動状態に入った位置からの所定距離を超える前記セキュリティ装置の変位と、
（ｉｖ）前記振動センサーと前記位置センサーと前記トランシーバと前記電子回路のいずれかへの電力の喪失とを含むことを特徴とする方法。
【請求項１２】
請求項１１に記載の方法であって、各ＯＫ信号の受信時に前記監視ユニットから確認信号を送信するステップと、前記トランシーバによって前記確認信号を受信するステップとを更に備え、前記複数の警報事象は更に、前記トランシーバが前記トランシーバによって送信された各ＯＫ信号に対する確認信号を受信するのに失敗することを含むことを特徴とする方法。
【発明の詳細な説明】
【技術分野】
【０００１】
本発明は、コンテナとその中の荷物のための新しい連続フィードバックセキュリティシステムに関する。より詳しくは、本発明は、コンテナに取り付けることができるとともに、監視ユニットへのリアルタイムフィードバックを行う新規なセキュリティ装置に関する。
【背景技術】
【０００２】
過去３０年間くらいにおいては、物品を別々の単位で輸送するのではなく、むしろコンテナに入れて輸送するのが慣わしとなっている。これらの物品収容コンテナは標準寸法を有し、クレーンおよび他の適当な機器によって、貨物船および大型レーラートラックに積み下ろしされる。
【発明の開示】
【発明が解決しようとする課題】
【０００３】
輸送産業におけるコンテナの使用は非常に多くなってきており、世界中に２０００万個を超す鍵がかかっていない輸送コンテナがあるほどである。それらのコンテナは鍵がかけられていないので、それらの鍵がかかっていないコンテナから高価な品物を盗もうとする衝動を抑えられない者が世界中至るところに存在する。国際的組織が設立されるようになってきた。それらはもっぱら、高価な品物を盗み、盗んだ品物を販売することを目的としている。実際、盗難の問題は大きくなってきており、北米だけでも報告されたコンテナからの損失が年１００億ドルを超えるほどである。麻薬の大半は輸送コンテナで世界中に輸送される。不法滞在外国人をコンテナで輸送することも広く行われている。コンテナを運ぶ何千台もの大型トレーラートラックが毎月盗まれている。コンテナ盗難は損失が大きいだけでなく、品物の配達に長時間の遅れを生じる。損失は非常に大きく、多くの保険会社はコンテナ盗難に備えて保険をかけることを拒絶し、あるコンテナ会社はコンテナとコンテナ内容物の盗難に備えて自己保険をかけざるを得ないほどである。
【課題を解決するための手段】
【０００４】
本発明は、監視ユニットとともに使用されるセキュリティ装置を提供する。該セキュリティ装置は、ハウジングと、前記ハウジングの外側に取り付けられた取り付けブラケットであって、固定物に取り付けられるように構成されるとともにスイッチを備え、該スイッチは前記取り付けブラケットが前記固定物に取り付けられたときに第１表示を生成し、前記取り付けブラケットが前記固定物から取り外されたときに第２表示を生成する取り付けブラケットと、前記ハウジング内に設けられた電源と、前記ハウジング内に設けられるとともに前記電源に接続されたトランシーバであって、前記監視ユニットと通信するように構成されたトランシーバと、前記ハウジング内に設けられるとともに前記電源と前記トランシーバと前記取り付けブラケットのスイッチとに接続された電子回路であって、前記第１表示が前記スイッチによって生成されたときに作動状態に入るようにプログラムされるとともに、前記作動状態にあるときに複数の警報事象の少なくとも一つが生じなければ前記トランシーバに周期的にＯＫ信号を前記監視ユニットへ送信させるようにプログラムされた電子回路とを備える。前記複数の警報事象は、前記取り付けブラケットの前記スイッチによる前記第２表示の生成と、前記トランシーバへの電力の喪失と、前記電子回路への電力の喪失とを含む。
【０００５】
前記セキュリティ装置は更に、前記ハウジング内に設けられ、かつ前記電源と前記電子回路とに接続された振動センサーであって、当該セキュリティ装置が所定方法で動かされたならば振動信号を生成するように構成された振動センサーを備える。前記複数の警報事
象は更に、前記振動信号の生成と、前記振動センサーへの電力の喪失を含む。
【０００６】
前記セキュリティ装置は更に、前記ハウジング内に設けられ、かつ前記電源に接続されるＧＰＳセンサーであって、前記電子回路に位置信号を供給するように構成されたＧＰＳセンサーを備えることができる。
【０００７】
前記電子回路は、前記位置信号を初期位置信号と比較して、前記位置信号が所定量だけ前記初期位置信号と異なる場合には変位信号を生成するようにプログラムされ得る。前記初期位置信号は前記第１表示が生成されたときに前記ＧＰＳセンサーによって供給される位置信号からなる。前記複数の警報事象は更に、前記変位信号の生成と、前記ＧＰＳセンサーへの電力の喪失とを含む。
【０００８】
前記セキュリティ装置は更に、前記ハウジング内に設けられ、かつ前記電源と前記電子回路とに接続された音響センサーであって、所定音が当該セキュリティ装置の近くで発生したならば音響信号を生成するように構成された音響センサーを備える。前記複数の警報事象は更に、前記音響信号の生成と、前記音響センサーへの電力の喪失とを含む。
【０００９】
前記取り付けブラケットは、ロック棒にスナップ嵌合するように構成されたクリップを備えることができる。前記セキュリティ装置は更に、コネクターアームと第２ロック棒への取り付けのための第２クリップとを備えることができる。前記セキュリティ装置は更に、前記クリップのいずれか一つに取り付けられ、前記クリップの前記いずれか一つを、前記クリップの前記いずれか一つが取り付けられたロック棒に選択的にロックするためのロック機構を備えることができる。
【００１０】
本発明はまた、セキュリティシステムであって、その上にスイッチを有する取り付けブラケットによってコンテナのロック棒に取り付けられるように構成されたセキュリティ装置であって、第１電源と第１電子回路と第１トランシーバとを備え、前記スイッチは前記電子回路に、前記取り付けブラケットが前記ロック棒に取り付けられているときに第１表示を供給し、前記取り付けブラケットが前記ロック棒から取り外されたときに第２表示を供給するセキュリティ装置と、第２電源と第２電子回路と第２トランシーバとを備えた監視ユニットとを備えるセキュリティシステムを提供する。前記第１電子回路は、前記スイッチからの第１表示を受信したときに、前記第１トランシーバに周期的にＯＫ信号を前記第２トランシーバへ送信させるとともに、前記スイッチからの前記第２表示を受信することと、前記第２トランシーバからの警報信号を受信することと、前記第１電源からの低電力表示を受信することと、前記セキュリティ装置の振動を検知することと、所定距離を超える前記セキュリティ装置の変位を検知することの少なくとも一つを行ったときに前記第１トランシーバに警報信号を送信させるようにプログラムされている。前記第２電子回路は、所定時間の間に前記第１トランシーバからのＯＫ信号の受信に失敗することと、前記第１トランシーバからの警報信号を受信することと、前記第２電源からの低電力表示を受信することの少なくとも一つを行ったときに前記第２トランシーバに警報信号を送信させるようにプログラムされている。
【００１１】
本発明はまた、少なくとも一つのロック棒を有するコンテナに対する不正を防止する方法を提供する。該方法は、セキュリティ装置をロック棒に取り付けるステップであって、前記セキュリティ装置は、振動センサーと位置センサーと電源とトランシーバと電子回路とを備えるとともに、前記ロック棒に取り付けられたときに作動状態に入るように構成されているステップと、前記作動状態にあるときに前記トランシーバからＯＫ信号を送信するステップと、監視ユニットによって前記ＯＫ信号を受信するステップであって、前記監視ユニットは所定時間の間に何らかのＯＫ信号を受信するのに失敗したならば警報信号を送信するように構成されているステップと、複数の警報事象の少なくとも一つの発生時に
、前記セキュリティ装置からＯＫ信号を送信するのを停止するステップとを備える。前記複数の警報事象は、前記ロック棒からの前記セキュリティ装置の取り外しと、前記セキュリティの振動と、前記セキュリティ装置が前記作動状態に入った位置からの所定距離を超える前記セキュリティ装置の変位と、前記振動センサーと前記位置センサーと前記トランシーバと前記電子回路のいずれかへの電力の喪失とを含む。
【００１２】
本方法は更に、各ＯＫ信号の受信時に前記監視ユニットから確認信号を送信するステップと、前記トランシーバによって前記確認信号を受信するステップとを備えることができる。前記複数の警報事象は更に、前記トランシーバが前記トランシーバによって送信された各ＯＫ信号に対する確認信号を受信するのに失敗することを含む。
【発明を実施するための最良の形態】
【００１３】
添付図面は本発明の非制限的実施態様を示す。
以下の説明を通して、本発明を一層理解するために、具体的な詳細について述べる。しかしながら、本発明はこれらの項目がなくても実施することができる。その他の場合においては、周知の要素は、本発明を不必要に曖昧にするのを避けるために詳しく示したり説明したりしていない。従って、本明細書および図面は、制限的というよりもむしろ説明的な意味において考えられるべきである。
【００１４】
図１は、本発明の好ましい実施態様によるセキュリティ装置１０を示す。装置１０は、該装置１０に取り付けられた取り付けブラケット１４を有するハウジング１２を備えている。取り付けブラケット１４は、コンテナ１８の後部ロック棒１６の一つに取り付けられている。装置１０は、無線信号２１によって監視ユニット２０と通信するように構成されており、装置１０と監視ユニット２０とは互いに最大約１．５マイルの範囲内にある。装置１０と監視ユニット２０の間で交換される無線信号２１は、無線周波数（ＲＦ）信号であることが好ましく、周波数ホップ拡散スペクトル（ＦＨＳＳ）信号であることがより好ましい。ＦＨＳＳ信号は、使いやすく、傍受性および干渉性が低いので好ましい。
【００１５】
セキュリティ装置１０と監視ユニット２０はまた、それぞれ、通信ネットワーク（図示せず）によって遠隔セキュリティ局と通信するように構成されることが好ましい。一旦、装置１０が作動すると、警報事象が発生することにより、装置１０と監視ユニット２０の両方が、警報信号を遠隔セキュリティ局に送信する。セキュリティ局におけるセキュリティ職員はその警報信号を受信するので、それに応じて対応することができる。あるいは、警報信号をコンテナ１８が置かれた領域内の地方警察に直接送信してもよい。
【００１６】
図２から図４に示すように、装置１０は、トランシーバ２４と電子回路２６と電源２８を備えることが好ましく、これらはすべてハウジング２４内に設けられる。トランシーバ２４はアンテナ３０を備えることができる。電子回路２６は複数の回路基板３２で構成することができる。電源２８はバッテリで構成することが好ましい。電子回路２６を電源２８からの起こりうる予期されない電気放電から保護するために、電源２８と電子回路２６との間のハウジング内にシールド３６を設けることができる。電源１２の近くのハウジングの先端は、電源２８の取り外しおよび交換を容易にするために、ねじ込みエンドプラグ４０を備えることが好ましい。充電ピン３８をエンドプラグ４０内に設け、電源２８と電気的に接触させて、ハウジング１２の壁の中の導体（図示せず）によって、トランシーバ２４と電子回路２６に電力を供給することが好ましい。電源２８はＣセルバッテリパックで構成することが好ましい。
【００１７】
取り付けブラケット１４は、ロック棒１６にスナップ嵌合するように構成された部分的に円筒型のクリップを備えることが好ましい。スイッチ２２は、取り付けブラケット１４がロック棒１６に取り付けられたときにスイッチ２２が押されるように、取り付けブラケ
ット１４の内側に設けられる。スイッチ２２は、電子回路２６に接続されており、スイッチ２２がロック棒１６への取り付けブラケットの取り付けによって押圧されたときに電子回路２６が作動状態に入るようになっている。以下に述べるように、電子回路は、いったん作動状態に入ると、警報事象の発生まで、あるいは、トランシーバ２４が作動解除信号を受信するまで、作動状態のままである。取り付けブラケット１４がロック棒１６から外されると、スイッチ２２はもはや押圧されない。ロック棒１６からの取り付けブラケット１４の取り外しは警報事象を構成する。
【００１８】
作動状態にあるとき、電子回路２６は、トランシーバ２４に、ＯＫ信号（ＦＨＳＳ信号であることが好ましい）を監視ユニット２０へ、好ましくはユーザーが選択可能な所定速度で連続的に、送信させるように構成されている。装置１０はまた、電子回路２６に接続された発光ダイオード（ＬＥＤ）４２を備えて、電子回路２６が作動状態にあるときＬＥＤ２４が点灯するようにすることができる。
【００１９】
図５と図６に示すように、監視ユニット２０は、ユーザーのポケットに入るサイズの小型無線呼出し装置からなってもよい。図５と図６に示すように、監視ユニット２０は、トランシーバ４４と電子回路４６と電源４８と表示装置５０を備えることが好ましい。表示装置５０は、監視ユニット２０とセキュリティ装置１０の状態、例えば、ＯＫ状態、警報事象、信号の喪失、および監視ユニット２０かセキュリティ装置１０のいずれかに対するバッテリ電力低下状態を示すために、複数のＬＥＤ（図示せず）を備えることができる。電源４８は、車のタバコライターから再充電できるバッテリを備えることが好ましい。トランシーバ４４はアンテナ５２を備えることができる。図７は、監視ユニット２０の好ましい実施態様の回路図を示す。
【００２０】
トランシーバ４４が装置１０からのＯＫ信号を受信すると、電子回路４６は作動状態に入る。電子回路４６は、警報事象の発生まで、あるいは、監視ユニットが作動解除されるまで、作動状態のままである。作動状態にあるとき、電子回路４６は、装置１０から送信されたＯＫ信号の受信についてトランシーバ４４を監視する。電子回路４６は、トランシーバ４４に、各ＯＫ信号の受信時にトランシーバ２４へ確認信号を送信させるように構成され得る。トランシーバ４４が所定時間の間にトランシーバ２４からのＯＫ信号を受信するのに失敗することは、警報事象を構成する。この所定時間は約５秒であることが好ましい。トランシーバ４４が確認信号を送信する実施態様においては、トランシーバ２４が各ＯＫ信号の送信後にトランシーバ４４からの確認信号を受信するのに失敗することは、警報事象を構成する。
【００２１】
電子回路４６は、表示装置５０に監視ユニット２０とセキュリティ装置１０についての情報を出力するように構成されることが好ましい。表示装置５０に出力される情報は、電源２８，４８の状態と、セキュリティ装置１０が監視ユニット２０の最大範囲内にあるか否かの表示を含むことができる。
【００２２】
監視ユニット２０は電源スイッチ５４を備えることが好ましい。電源スイッチ５４をＯＮ位置にすると監視ユニット２０は使用中となる。電源スイッチ５４をＯＦＦ位置に動かすと、電子回路４６は作動解除状態に入り、監視ユニットを作動解除する。監視ユニット２０の作動解除により、トランシーバ４４は、トランシーバ４４と電子回路４６への電力が停止する前に、トランシーバ２４に作動解除信号を送信する。トランシーバ２４がトランシーバ４４からの作動解除信号を受信すると、電子回路２６は作動解除状態に入る。
【００２３】
何らかの警報事象の発生により、電子回路２６，４６は警報状態に入る。警報状態にあるとき、電子回路２６，４６は、それぞれ、トランシーバ２４，４４に、好ましくは衛星通信ネットワークによって、遠隔地にあるセキュリティ局へ警報信号（ＦＨＳＳ信号によ
ることが好ましい）を送信させるように構成されている。あるいは、コンテナ１８が置かれた領域内の地方警察へ直接に警報信号を送信してもよい。警報信号は連続的に送信することが好ましい。電子回路２６，４６が警報モードにあるときにはＯＫ信号は送信されない。警報信号は、装置１０と監視ユニット２０の位置のみならず、装置１０と監視ユニット２０に対する固有識別コードなどの、装置１０と監視ユニット２０についてのリアルタイム情報を含むことが好ましい。
【００２４】
装置１０はまた、電子回路２６に接続されるとともに、電子回路２６が警報状態にあるときに鳴るように構成されたサイレンなどの雑音発生器（図示せず）を備えることができる。同様に、監視ユニット２０は、電子回路４６に接続されるとともに、電子回路４６が警報状態にあるときに鳴るように構成されたブザーなどの雑音発生器（図示せず）を備えることができる。
【００２５】
装置１０の電子回路２６は振動センサーを含むことができる。図８は、振動センサーの好ましい実施態様の回路図を示す。振動センサーは、装置１０が振動した場合に振動信号を生成するように構成されることが好ましい。振動センサーはまた、装置１０が所定角度を越えて傾斜した場合に振動信号を生成するように構成されてもよい。振動センサーはまた、ソフトウェアを含むことが好ましく、これによりユーザーがセンサーの感度を調節することができるので、小さな振動および傾斜またはそのいずれかが振動信号を生じることはない。このことは、セキュリティ装置１０がコンテナの輸送中に作動しているときに特に有用である。振動信号の生成は警報事象を構成する。
【００２６】
装置１０の電子回路２６は音響センサーを任意で含むこともできる。音響センサーは、装置１０の近くで穿孔または他の独特な騒音を伴う動作が発生した場合に音響信号を生成するように構成されることが好ましい。音響信号の生成は警報事象を構成する。
【００２７】
電子回路２６はまた、全地球測位システム（ＧＰＳ）センサーを含むことができる。ＧＰＳセンサー７０は、電子回路２６に位置信号を供給するように構成される。電子回路２６は、警報状態に入ると、ＧＰＳセンサーから初期位置信号を読み取り、装置１０の作動位置を決定する。電子回路２６は周期的にＧＰＳセンサーからの位置信号をチェックし、ＧＰＳセンサーからの位置信号が、装置１０が作動位置から所定距離、好ましくは約２００フィート、より多く動いたことを示した場合には、変位信号を生成する。変位信号は装置１０の位置と速度についての情報を含むことができる。変位信号の生成は警報事象を構成する。
【００２８】
図９は、コンテナ１４の両ロック棒１６に取り付けるように構成された、セキュリティ装置１０の代替実施態様を示す。図９の装置１０は、コネクターアーム１５と第２取り付けブラケット１４Ａと第２スイッチ２２Ａを更に備えたことを除き、図１から図４に示す実施態様と同じである。第２スイッチ２２Ａはスイッチ２２と同じように電子回路２６に接続されているので、取り付けブラケット１４，１４Ａのいずれか一方または両方の取り外しは警報事象を構成する。図９の実施態様は、コンテナ内の商品の所有者が監視ユニット２０を所持して、コンテナの位置と、運転手または他の人のいずれかによってコンテナを開けようとする試みとについてのリアルタイム情報を受信することができるといった、輸送中のコンテナのセキュリティを維持するための特定のアプリケーションを有している。
【００２９】
図９はまた、取り付けブラケット１４Ａに取り付けられたロック機構１７を示している。ロック機構１７は、図９の実施態様か図２から図４の実施態様のいずれかにおいて取り付けブラケット１４にも取り付けることができることは明らかである。ロック機構１７はピン１９を備え、このピン１９は、ピン１９がブラケット１４Ａの内表面と同一平面にあ
る開放位置と、ピン１９がブラケット１４Ａの内表面からロック棒１６（図示せず）内の対応形状穴内へ内方向に延びるロック位置との間で移動可能である。ピン１９の移動はキー（図示せず）を回すことによって行われることが好ましい。
【００３０】
前記開示に照らして当業者にとって明らかなように、多くの変更が、本発明の精神と範囲から逸脱することなく、本発明の実施において可能である。従って、本発明の範囲は、特許請求の範囲によって規定される趣旨に従って解釈されるべきである。
【図面の簡単な説明】
【００３１】
【図１】監視ユニットと、コンテナのロック棒に取り付けられたセキュリティ装置とを示し、ロック棒に取り付けられたセキュリティ装置の組立側面図を含む本発明の好ましい実施態様によるセキュリティシステムを示す図。
【図２】図１のセキュリティ装置の詳細正面図。
【図３】図１のセキュリティ装置の詳細背面図。
【図４】セキュリティ装置の構成部品を示す、図１のセキュリティ装置の断面図。
【図５】図１の監視ユニットの詳細正面図。
【図６】監視ユニットの構成部品を示す、図１の監視ユニットの断面図。
【図７Ａ】本発明による監視ユニットの好ましい実施態様の回路図。
【図７Ｂ】図７Ａに続きである、本発明による監視ユニットの好ましい実施態様の回路図。
【図８Ａ】本発明による振動センサーの好ましい実施態様の回路図。
【図８Ｂ】図８Ａの続きである、本発明による振動センサーの好ましい実施態様の回路図。
【図９】二つのロック棒に取り付けられるように構成された本発明の別の実施態様によるセキュリティ装置を示す図。
【図１】
2006522389.tif 000003
【図２】
2006522389.tif 000004
【図３】
2006522389.tif 000005
【図４】
2006522389.tif 000006
【図５】
2006522389.tif 000007
【図６】
2006522389.tif 000008
【図７Ａ】
2006522389.tif 000009
【図７Ｂ】
2006522389.tif 000010
【図８Ａ】
2006522389.tif 000011
【図８Ｂ】
2006522389.tif 000012
【図９】
2006522389.tif 000013
【国際調査報告】
2006522389.tif 000014
2006522389.tif 000015
2006522389.tif 000016